(57)【特許請求の範囲】
【請求項１】
天井に形成された矩形の開口部に嵌め込まれて取り付けられる外枠と、この外枠に対し１辺同士で回動自在に繋がるように設けられ蓋材の周囲を囲む内枠と、前記回動自在に繋がる１辺に対向する１辺で内枠の閉塞状態を保持するロック手段とを備え、前記ロック手段は内枠の立ち上がり壁の外側で軸芯が上下方向に向くように内枠に回転自在に取り付けられるロック軸と、このロック軸の下端近傍に設けた爪片とからなり、ロック軸を回して爪片を外枠に係止させることにより内枠の閉塞状態が保持されるようにした天井点検口において、ロック軸を内枠の立ち上がり壁に対し押し当てるようにばねにより取り付け、ロック軸の少なくとも一部に背面に偏平部を備えて爪片が内枠の立ち上がり壁の外面に対して直角に向いたロック状態において偏平部が内枠の立ち上がり壁の外面に当接するように構成され、さらにロック軸には前記偏平部に繋がる偏平部を備えて、これら偏平部の繋がり部には角部が形成されていて、前記ばねによりロック軸を内枠の立ち上がり壁の外面に押し当てることによりロック解除方向への回転を規制するクリック機構を構成してなることを特徴とする天井点検口。
【発明の詳細な説明】
【０００１】
【発明の属する技術分野】
本発明は天井点検口に関するものである。
【０００２】
【従来の技術】
従来から天井内部に敷設される配線、配管などの点検修理などのために天井に開閉自在な天井点検口が設けられているが、基本構成として天井に形成された開口部に嵌め込まれて取り付けられる外枠と、この外枠の内部に位置し外枠に対し１辺同士で回動自在に繋がるように設けられ蓋材の周囲を囲む内枠とからなり、前記回動自在に繋がる１辺に対向する１辺で内枠の閉塞状態を保持するロック手段が設けられている。
【０００３】
以下、この従来の天井点検口について、図５〜図９に基づいて説明すると、１は天井２に形成された正方形の開口部３に嵌め込まれて取り付けられるようにアルミニウムを材料にして作られた外枠、４はこの外枠１の内部に位置し外枠１に対し１辺同士で回動自在に繋がるように設けられ蓋材５の周囲を囲むようにアルミニウムを材料にして作られた内枠である。６は前記回動自在に繋がる１辺に対向する１辺で内枠４の閉塞状態を保持するロック手段である。
【０００４】
このロック手段６は内枠４の立ち上がり壁７の外側で軸芯が上下方向に向くように内枠４に回転自在に取り付けられるロック軸８と、このロック軸８の下端近傍に設けた爪片９とを備え、ロック軸８を回して外枠１の立ち上がり壁１０の下端から内側に張り出す水平板部１１を内枠４の立ち上がり壁７の下端から外側に張り出す水平板部１２と爪片９との間で挟むことにより内枠４の閉塞状態が保持されることになる。
【０００５】
内枠４に対するロック軸８の取り付け部について詳細に説明すると、ロック軸８の下端は内枠４の立ち上がり壁７の下端から外側に張り出す水平板部１２に形成された孔部１２ａを下方に貫通し、水平板部１２から上方に突出するロック軸８の中間部分はＵ字型取り付け金具１３のＵ字部１３ａの内側に抱き込まれた状態でＵ字型取り付け金具１３の両先端を内枠４の立ち上がり壁７に形成された孔部７ａに差し込み、外側に折り曲げることにより、ロック軸８はＵ字型取り付け金具１３のＵ字部１３ａと内枠４の立ち上がり壁７との間で回転自在に挟まれて取り付けられる。さらに詳しくは、ロック軸８は中間部分がＵ字型取り付け金具１３のＵ字部１３ａにより抱き込まれた状態でＵ字型取り付け金具１３から上方に突出する頭部１４および爪片９が前記立ち上がり壁７の外面に当接し、この立ち上がり壁７に対する頭部１４および爪片９の当接面は円弧面１４ａおよび９ａを備えている。Ｕ字型取り付け金具１３から上方および下方に突出するロック軸８の頭部１４および爪片９は前記立ち上がり壁７の外面に当接した状態でロック解除状態とロック状態との間でスムーズに回転できるように前述のように円弧面１４ａおよび９ａを備えているが、爪片９が前記立ち上がり壁７の外面に対して直角に向いたロック状態からさらに乗り越える方向への回転を阻止するために爪片９は背面に偏平部９ｂを備え、爪片９が外枠１の水平板部１１上に当接して係止した状態において偏平部９ｂが内枠４の立ち上がり壁７の外面に当接するようになる。偏平部９ｂの一側部は直角に角張り、前記一側部の直角の角張り部９ｃによってロック軸８の係止孔１１への係止方向の回転を９０度で止めるように構成されている。なお、前記孔部１２ａに嵌め込まれているロック軸８の下面にはコイン、ドライバーなどで操作できるように−状の溝８ａが形成されている。
【０００６】
上記従来の天井点検口に使用されているロック軸８は爪片９の背面の偏平部９ｂの一側部の直角の角張り部９ｃによって爪片９が前記立ち上がり壁７の外面に対して直角に向いたロック状態からさらに乗り越える方向への回転を阻止するようになっているが、ロック状態からロック解除状態への回転を阻止する機能は備えておらず、爪片９が外枠１の立ち上がり壁１０の下端から内側に張り出す水平板部１１を内枠４の立ち上がり壁７の下端から外側に張り出す水平板部１２との間で挟んだ状態で振動などによって爪片９が僅かづつ動き、爪片９が外枠１の水平板部１１上から勝手に外れて蓋材５と一体に内枠４が開いてしまい、危険であるという問題があった。
【０００７】
【発明が解決しようとする課題】
本発明はこのような課題を解決するもので、振動などによって爪片が勝手に外れて内枠が開くのを防止し、安全な天井点検口を提供することを目的とするものである。
【０００８】
【課題を解決するための手段】
この課題を解決するために本発明は、天井に形成された矩形の開口部に嵌め込まれて取り付けられる外枠と、この外枠に対し１辺同士で回動自在に繋がるように設けられ蓋材の周囲を囲む内枠と、前記回動自在に繋がる１辺に対向する１辺で内枠の閉塞状態を保持するロック手段とを備え、前記ロック手段は内枠の立ち上がり壁の外側で軸芯が上下方向に向くように内枠に回転自在に取り付けられるロック軸と、このロック軸の下端近傍に設けた爪片とからなり、ロック軸を回して爪片を外枠に係止させることにより内枠の閉塞状態が保持されるようにした天井点検口において、ロック軸を内枠の立ち上がり壁に対し押し当てるようにばねにより取り付け、ロック軸の少なくとも一部に背面に偏平部を備えて爪片が内枠の立ち上がり壁の外面に対して直角に向いたロック状態において偏平部が内枠の立ち上がり壁の外面に当接するように構成され、さらにロック軸には前記偏平部に繋がる偏平部を備えて、これら偏平部の繋がり部には角部が形成されていて、前記ばねによりロック軸を内枠の立ち上がり壁の外面に押し当てることによりロック解除方向への回転を規制するクリック機構を構成してなることを要旨とするものである。
【０００９】
この構成により、ロック軸の少なくとも一部に背面に偏平部を備えて爪片が内枠の立ち上がり壁の外面に対して直角に向いたロック状態において偏平部が内枠の立ち上がり壁の外面に当接するように構成され、さらにロック軸には前記偏平部に繋がる偏平部を備えて、これら偏平部の繋がり部には角部が形成されていて、ばねによりロック軸を内枠の立ち上がり壁の外面に押し当てることによりクリック機構を構成しており、振動などによって爪片が前記立ち上がり壁の外面に対して直角に向いたロック状態からロック解除方向にロック軸が動こうとしても前記偏平部の繋がり部の角部を乗り越える力が加わらない限り爪片はロック状態を維持することができ、蓋材と一体に内枠が不測に開くことがなく、安全な天井点検口を提供することができる。
【００１０】
【発明の実施の形態】
以下、本発明の一実施の形態について、図面に基づいて説明する。
図１〜図４において、２１は天井２２に形成された正方形の開口部２３に嵌め込まれて取り付けられるようにアルミニウムを材料にして作られた外枠、２４はこの外枠２１の内部に位置し外枠２１に対し１辺同士で回動自在に繋がるように設けられ蓋材２５の周囲を囲むようにアルミニウムを材料にして作られた内枠である。２６は前記回動自在に繋がる１辺に対向する１辺で内枠２４の閉塞状態を保持するロック手段である。
【００１１】
このロック手段２６は内枠２４の立ち上がり壁２７の外側で軸芯が上下方向に向くように内枠２４に回転自在に取り付けられるロック軸２８と、このロック軸２８の下端近傍に設けた爪片２９とを備え、ロック軸２８を回して外枠２１の立ち上がり壁３０の下端から内側に張り出す水平板部３１を内枠２４の立ち上がり壁２７の下端から外側に張り出す水平板部３２と爪片２９との間で挟むことにより内枠２４の閉塞状態が保持されることになる。
【００１２】
内枠２４に対するロック軸２８の取り付け部について詳細に説明すると、ロック軸２８の下端は内枠２４の立ち上がり壁２７の下端から外側に張り出す水平板部３２に形成された孔部３２ａを下方に貫通し、この水平板部３２上の突部３２ｂ上に前記爪片２９が載るように位置し、この爪片２９よりも上側のロック軸２８の上下方向中間部分には全周に亘って溝部３３が形成され、ロック軸２８を内枠２４の立ち上がり壁２７の外面に当接させた状態で前記溝部３３に線状のばね３４の中間部を嵌めるとともにばね３４の両端部を内枠２４の立ち上がり壁２７に形成した孔部２７ａに差し込むことによってロック軸２８を内枠２４の立ち上がり壁２７の外面に押し当てている。前記ロック軸２８の爪片２９の背面に偏平部２９ａを備え、爪片２９が前記立ち上がり壁２７の外面に対して直角に向いたロック状態において偏平部２９ａが立ち上がり壁２７の外面に当接するように構成されている。偏平部２９ａの一側部は直角に角張り、前記一側部の直角の角張り部２９ｂによって外枠２１の水平板部３１へのロック軸２８の係止方向の回転を９０度で止める、即ち爪片２９が前記立ち上がり壁２７の外面に対して直角に向いたロック状態からさらに乗り越える方向への回転を阻止するように構成されている。偏平部２９ａの他側部においては偏平部２９ａに対して約１２０度の角度で直角に折れ曲がる偏平部２９ｃが形成され、この偏平部２９ｃと前記偏平部２９ａとの繋がり部および偏平部２９ｃと爪片２９の一側面との繋がり部にはそれぞれ角部２９ｄおよび２９ｅが形成されていて、ばね３４によりロック軸２８を内枠２４の立ち上がり壁２７の外面に押し当てていることによりクリック機構を構成している。ところで、図面に示す実施の形態では爪片２９よりも上側部分において、前記溝部３３の部分を除くロック軸２８の範囲にも前記偏平部２９ｃに連続する偏平部２９ｃが形成されている。爪片２９よりも上側部分のロック軸２８において、偏平部２９ｃの形成部以外の面は円弧状に形成されている。なお、前記内枠２４の立ち上がり壁２７にはロック軸２８の上端近傍部において外側に突出するロック軸２８の上端支持板部２７ｂが形成されている。この上端支持板部２７ｂは立ち上がり壁２７に切り込みを設けて外側に押し出すことにより形成され、上端支持板部２７ｂの下端にロック軸２８の上端に被さる凹部２７ｃが形成されている。さらに、前記孔部３２ａに嵌め込まれているロック軸２８の下面にはコイン、ドライバーなどで操作できるように−状の溝２８ａが形成されている。
【００１３】
上記構成において、ロック軸２８には前記偏平部２９ａとこの偏平部２９ａの他側部において偏平部２９ａに対して約１２０度の角度で直角に折れ曲がる偏平部２９ｃが形成され、この偏平部２９ｃと前記偏平部２９ａとの繋がり部および偏平部２９ｃと爪片２９の一側面との繋がり部にはそれぞれ角部２９ｄおよび２９ｅが形成されていることにより、ばね３４により立ち上がり壁２７の外面に押し当てられているロック軸２８はクリック機構を備えることになり、振動などによって爪片２９が前記立ち上がり壁２７の外面に対して直角に向いたロック状態からロック解除方向にロック軸２８が動こうとしても偏平部２９ｃと前記偏平部２９ａとの繋がり部の角部２９ｄを乗り越える力が加わらない限り爪片２９はロック状態を維持することができる。また万が一、ロック軸２８が偏平部２９ｃと前記偏平部２９ａとの繋がり部との角部２９ｄを乗り越えてロック解除方向に回転した場合でも、ロック軸２８は偏平部２９ｃが前記立ち上がり壁２７の外面に当接して止まり、爪片２９が前記立ち上がり壁２７の外面に対して傾いた状態となるが、爪片２９の先端は外枠２１の水平板部３１に係止する状態を維持することができる。さらに、このような爪片２９が前記立ち上がり壁２７の外面に対して傾いた状態からロック解除方向にロック軸２８が動こうとしても偏平部２９ｃと爪片２９の一側面との繋がり部の角部２９ｅを乗り越える力が加わらない限り爪片２９はロック状態を維持することができる。
【００１４】
以上、図面に示す実施の形態について説明したが、クリック機構を構成する偏平部２９ａおよび偏平部２９ｃはロック軸２８の爪片２９以外の部分に備えることも可能である。
【００１５】
【発明の効果】
以上のように本発明によれば、ロック軸の少なくとも一部に背面に偏平部を備えて爪片が内枠の立ち上がり壁の外面に対して直角に向いたロック状態において偏平部が内枠の立ち上がり壁の外面に当接するように構成され、さらにロック軸には前記偏平部に繋がる偏平部を備えて、これら偏平部の繋がり部には角部が形成されていて、ばねによりロック軸を内枠の立ち上がり壁の外面に押し当てることによりクリック機構を構成しており、振動などによって爪片が前記立ち上がり壁の外面に対して直角に向いたロック状態からロック解除方向にロック軸が動こうとしても前記偏平部の繋がり部の角部を乗り越える力が加わらない限り爪片はロック状態を維持することができ、蓋材と一体に内枠が不測に開くことがなく、安全な天井点検口を提供することができる。
【図面の簡単な説明】
【図１】本発明の一実施の形態における天井点検口の縦断面図である。
【図２】同内枠のロック軸取り付け部を斜め上方から見た拡大斜視図である。
【図３】同内枠のロック軸取り付け部を斜め下方から見た拡大斜視図である。
【図４】同天井点検口の要部拡大横断面図である。
【図５】従来例における天井点検口の縦断面図である。
【図６】同内枠のロック軸取り付け部を斜め上方外側から見た拡大斜視図である。
【図７】同内枠のロック軸取り付け部を斜め上方内側から見た拡大斜視図である。
【図８】同内枠のロック軸取り付け部を斜め下方から見た拡大斜視図である。
【図９】同天井点検口の要部拡大横断面図である。
【符号の説明】
２１              外枠
２２              天井
２３              開口部
２４              内枠
２５              蓋材
２６              ロック手段
２７              立ち上がり壁
２７ａ            孔部
２８              ロック軸
２８ａ            溝
２９              爪片
２９ａ            偏平部
２９ｂ            角張り部
２９ｃ            偏平部
２９ｄ，２９ｅ    角部
３０              立ち上がり壁
３１              水平板部
３２              水平板部
３２ａ            孔部
３３              溝部
３４              ばね
【図１】
0003929343.tif 000002
【図２】
0003929343.tif 000003
【図３】
0003929343.tif 000004
【図４】
0003929343.tif 000005
【図５】
0003929343.tif 000006
【図６】
0003929343.tif 000007
【図７】
0003929343.tif 000008
【図８】
0003929343.tif 000009
【図９】
0003929343.tif 000010